(57)【要約】【課題】  記録された画像を見やすい順に、且つ、効果的に再生する。【解決手段】  撮像装置により撮影されて記録された複数の動画データと前記複数の動画データの撮影時における前記撮像装置の動作状態に関する撮影情報とを記録媒体から再生する再生手段と、前記再生手段により再生された前記複数の動画データに対応した前記撮影情報に基づいて、前記複数の動画データの再生順序を決定する決定手段と、前記決定手段により決定された再生順序に従って前記動画データを再生するように前記再生手段を制御する制御手段とを備える。【選択図】  図１
2013021654.tif 000002
【特許請求の範囲】
【請求項１】
撮像装置により撮影されて記録された複数の動画データと前記複数の動画データの撮影時における前記撮像装置の動作状態に関する撮影情報とを記録媒体から再生する再生手段と、
前記再生手段により再生された前記複数の動画データに対応した前記撮影情報に基づいて、前記複数の動画データの再生順序を決定する決定手段と、
前記決定手段により決定された再生順序に従って前記動画データを再生するように前記再生手段を制御する制御手段とを備える再生装置。
【請求項２】
前記撮影情報は、被写体までの距離を示す被写体距離情報を含み、前記決定手段は前記被写体距離の長さの順に前記再生順序を決定することを特徴とする請求項１に記載の再生装置。
【請求項３】
前記撮影情報は、焦点距離の情報を含み、前記決定手段は前記焦点距離の順に前記再生順序を決定することを特徴とする請求項１に記載の再生装置。
【請求項４】
基準を設定する手段を備え、
前記決定手段は、前記設定された基準と前記撮影情報とに基づいて前記再生順序を決定することを特徴とする請求項１に記載の再生装置。
【発明の詳細な説明】
【技術分野】
【０００１】
本発明は再生装置に関する。
【背景技術】
【０００２】
近年、デジタルビデオカメラやデジタルカメラ等のように動画をデジタルデータで撮影できる機能を持った装置が普及し、それに伴い撮影した画像をデジタルビデオカメラやデジタルカメラで編集したり、撮影した動画を加工して楽しむ人が増えている。また、撮影した動画をパーソナルコンピュータに取り込み、パーソナルコンピュータで編集を行い、再生する順序の変更を行って娯楽性の高い映像作品を作成する人も増えてきている。
【０００３】
しかし、この編集作業は時間が掛かる作業で、動画の内容を確認してストーリーを決定し、そのストーリーに合致する再生順序を決定するという手順を踏まねばならなかった。
【０００４】
従来、これらの作業を効率よく行うための技術として、画像データに関連付けられた情報に基づいてスライドショー表示時の表示位置や表示倍率、表示時間など自動的に変更する方法が提案されている（例えば、特許文献１参照）。或いは、撮影された日時情報や場所情報を使用して、表示する順番を変更する方法も提案されている（例えば、特許文献２参照）。
【先行技術文献】
【特許文献】
【０００５】
【特許文献１】特開２００８−４２２５６号公報
【特許文献２】特開２００４−６４３９６号公報
【発明の概要】
【発明が解決しようとする課題】
【０００６】
しかしながら、特許文献１に開示された技術では、画像データに関連付けられた情報を使用してスライドショー表示の際の画像表示方法を決定しているが、一定の順序に従って画像が表示される。
【０００７】
そのため、被写体との距離が遠い画像と近い画像がランダムに撮影されている場合、被写体距離によって画像が大小にランダムで変化し、見づらくなるという問題があった。
【０００８】
また、一般に、同じ場所である撮影を行った後に移動することが多い。その結果、撮影された画像は時系列順に記録され、また、撮影場所が共通の画像も多くなる。そのため、特許文献１の様に撮影日時や場所によって再生順を変更しても、あまり効果を得る機会が少なかった。
【０００９】
そこで、本発明は、画像の再生順序を適切に変更することにより、記録された画像を見やすい順に、且つ、効果的に再生することを目的とする。
【課題を解決するための手段】
【００１０】
本発明においては、撮像装置により撮影されて記録された複数の動画データと前記複数の動画データの撮影時における前記撮像装置の動作状態に関する撮影情報とを記録媒体から再生する再生手段と、前記再生手段により再生された前記複数の動画データに対応した前記撮影情報に基づいて、前記複数の動画データの再生順序を決定する決定手段と、前記決定手段により決定された再生順序に従って前記動画データを再生するように前記再生手段を制御する制御手段とを備える。
【発明の効果】
【００１１】
記録された画像を見やすい順に、且つ、効果的に再生することができる。
【図面の簡単な説明】
【００１２】
【図１】実施形態による再生装置の構成を示すブロック図である。
【図２】実施形態による再生順序決定の動作を示すフローチャートである。
【図３】実施形態における動画像の様子を表す図である。
【図４】撮影情報により決定された再生順序で再生される動画像の様子を表す図である。
【図５】実施形態による撮像装置の構成を示すブロック図である。
【図６】実施形態における動画像の様子を示す図である。
【図７】実施形態による画像撮影時の動作を示すフローチャートである。
【図８】撮影情報により決定された再生順序で再生される動画像の様子を表す図である。
【図９】実施形態による再生順序決定の動作を示すフローチャートである。
【図１０】再生順序の基準入力画面を示す図である。
【図１１】再生順序の基準入力画面を示す図である。
【図１２】実施形態における動画像の様子を示す図である。
【図１３】撮影情報により決定された再生順序で再生される動画像の様子を表す図である。
【図１４】サムネイル表示画面を示す図である。
【図１５】サムネイル表示画面を示す図である。
【発明を実施するための形態】
【００１３】
以下に、添付画面を参照して本発明の好適な実施形態について詳細に説明する。
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【実施例１】
【００１４】
本発明の第一の実施形態について画像再生装置を例に説明する。本実施形態の画像再生装置の構成について、図１のブロック図を参照して説明する。
【００１５】
図１において、ＣＰＵ１０１は装置全体を制御する。ＲＡＭ１０２はＣＰＵ１０１の処理に必要な制御変数等を格納する。また、各種設定パラメータもＲＡＭ１０２に格納される。ＲＯＭ１０３はＣＰＵ１０１の制御プログラムや各種固定データを格納する。操作部材１０４はハードキーやポインティングデバイスなどで構成される。ユーザは操作部１０４を操作し、各種の指示を入力する。メディア制御部１０５は着脱可能な記録メディア（記録媒体）１０６を制御し、記録メディアのデータの読み書きを行うものである。記録メディア１０６はメモリカードなどのランダムアクセス可能な記録媒体である。
【００１６】
画像復号部１０７は記録メディア１０６から読み出され、ＲＡＭ１０２上に一時的に格納された動画像データを復号する。画像情報取得解析部１０８は画像復号部１０７で復号した動画像データから、画像に関連付けられた撮影情報を取得する。表示装置１０９は画像復号部１０７で復号した画像データを表示する。
【００１７】
図２は、本実施形態における処理動作を示したフローチャートである。図３は、本実施形態における画像データを示したものである。ユーザが操作部１０４を操作することにより、記録メディア１０６上に記録された動画像データを読み出して、表示装置１０９に出力する。図２の処理は、ＣＰＵ１０１が各部を制御することにより実現される。
【００１８】
まず、Ｓ２０１では変数Ｎに数値０をセットする。ここで、変数ＮはＲＡＭ１０２上に格納された画像をカウントするためのもので、０以上の整数値を格納することができる。次にＳ２０２ではメディア制御部１０５により記録メディア１０６にアクセスし、Ｎ番目のデータがあると判断されれば、Ｓ２０３ではその画像データを読み出してＲＡＭ１０２上に格納する。Ｓ２０４ではＲＡＭ１０２上に格納された画像データを画像情報取得解析部へと送り、動画像に関連付けられた撮影情報を取得し、ＲＡＭ１０２上へ格納する。ここで扱う動画像データは、ビデオカメラ等で撮影されたものであり、各動画像データと共に、撮影時における撮像装置の動作状態に関する撮影情報が対応づけて記録メディア１０６に記録されている。本実施形態では、撮影情報として被写体距離や焦点位置情報を含む。さらに、撮影情報として、撮影日および時刻や絞りの値やシャッタースピードなどの情報も含まれる。これらの情報は全て、撮影時に動画像データとともに記録されたものである。また、各動画データは動画ファイルとして記録されている。
【００１９】
Ｓ２０４においてＲＡＭ１０２上に格納した撮影情報に基づいてＳ２０５では再生順序を決定する。Ｓ２０２においてＮ番目の動画像データが存在しなかった場合、Ｓ２０７ではＳ２０５で作成された再生順序に基づいて、メディア制御部１０５を介して記録メディア１０６の動画像データを読み出してＲＡＭ１０２上に格納し、格納された画像データを画像復号部１０７で復号し、復号された画像を表示部１０９で表示する。
【００２０】
図２のフローチャートでは、全画像の処理を行い、画像を表示した後に終了することになっているが、再び最初の画像に戻って再生を繰り返すようにしても良い。
【００２１】
図３は、記録メディア１０６に記録された動画データの様子を示す図である。本実施形態では、各動画データに対応した撮影情報のうち、撮影時の被写体距離に基づいて再生する順序を決定する。ここでは、動画データに含まれる複数の被写体のうち、主被写体として設定された被写体と、撮像装置との距離を被写体距離として定義する。また、本実施形態では、各動画データのうち、先頭画面を撮影した際の被写体距離を用いる。
【００２２】
図３において、動画３０１の被写体距離は３ｍ、動画３０２の被写体距離は１ｍ、動画３０３の被写体距離は１０ｍ、動画３０４の被写体距離は５ｍであるとする。本実施形態では、あらかじめＲＯＭ１０３に画像情報を被写体距離の遠いものから順に並べ替えるようなプログラムが書き込まれており、Ｓ２０５ではプログラムに従って被写体距離の遠いものから順に再生順序が決定され、ＲＡＭ１０２上にこの再生順序を格納する。図３の例では、動画３０３→３０４→３０１→３０２の順に再生される。
【００２３】
ＲＡＭ１０２上に格納された再生順序に従って、Ｓ２０７においてＣＰＵ１０１はメディア制御部１０５を介して記録メディア１０６から動画データをＲＡＭ１０２上に格納し、画像復号部１０７へＲＡＭ１０２上に格納された動画像データを渡して復号し、表示装置１０９へと映像情報を伝達する。
【００２４】
以上の処理により、各動画像の再生順序が決定され、表示装置１０９に表示される。図４は以上の処理を行って再生される動画の様子を模式的に示したものである。図４に示したように、被写体距離の遠いものから順にシーンの再生順序を変更することによって被写体が徐々に近づいてくるという映像効果を得ることができる。
【００２５】
続いて本発明の第二の実施形態について図５のブロック図を参照して説明する。図５は第二の実施形態における撮像装置の構成を示す図である。
【００２６】
図５において、ＣＰＵ５０１は装置全体を制御する。ＲＡＭ５０２はプログラム制御変数等を格納する。ＲＡＭ５０２はまた、各種設定パラメータも格納する。ＲＯＭ５０２はＣＰＵ５０１の制御プログラムや各種固定データを格納する。操作部材５０４はハードキーやポインティングデバイスなどで構成される。ユーザは操作部５０４を操作することにより各種の指示を入力する。メディア制御部５０５は着脱可能な記録メディア５０６に対し、各種のデータを記録し、また、再生する。画像復号部５０７は記録メディア５０６から読み出され、ＲＡＭ５０２上に一時的に格納された動画データを復号する。画像情報取得解析部５０８は画像復号部５０７で復号した動画像データに対応する撮影情報を取得する。カメラ部５０９は絞りや焦点距離の変更、ピント合わせを行うことができる。そして、動画の撮影時には、動作状態を示す撮影情報と動画像データを出力する。エンコーダ部５１０はカメラ部５０９から出力された動画像データをＭＰＥＧ等の公知の符号化形式に従って符号化し、ＣＰＵ５０１に渡す。ＣＰＵ５０１はエンコーダ部５１０より受け取った動画データに対して撮影情報を付加し、データをメディア制御部５０５を介して記録メディア５０６に記録する。表示装置５１１は画像復号部５０８で復号した動画像データ及びカメラ部５０９から出力された動画像を表示する。
【００２７】
図６は本実施形態における動画記録時の処理動作を示したフローチャートである。図７は本実施形態における撮影した画像とその時の撮影情報を示したものである。ユーザは操作部５０４を操作することにより、カメラ部５０９から取得した動画像の記録を指示することができる。図６の処理はＣＰＵ５０１が各部を制御することにより実現される。
【００２８】
ユーザからの指示により撮影が開始されると、まずＳ６０１では変数Ｎに数値０をセットする。ここで、変数Ｎは撮影開始からの動画像のフレーム数をカウントするためのもので、０以上の整数値を格納することができる。Ｓ６０２では撮影を終えるかどうかを判断する。オペレータが操作部５０４を操作し、撮影を中断する場合はこの分岐でＹＥＳへと分岐する。Ｓ６０３ではカメラ部５０９より被写体距離を取得し、ＲＡＭ５０２上に格納する。
【００２９】
Ｓ６０４では先ほどＳ６０３でカメラ部５０９より取得した被写体距離から平均値を算出する。例えば、フレーム数Ｎと直前までの平均値を用いて、（平均値  ＊  Ｎ  ＋  被写体距離  ）／（Ｎ  ＋  １）という計算を行って平均値を求める。
【００３０】
算出した平均値はＲＡＭ５０２上にカメラ部５０９から取得した被写体距離とは別に格納する。この格納された平均値はＳ６０４を実行するたびに更新されていく。Ｓ６０５ではカメラ部５０９より焦点距離を取得し、ＲＡＭ５０２上に格納する。Ｓ６０６ではＳ６０５でカメラ部５０９より取得した焦点距離から平均値を算出する。例えば、フレーム数Ｎと直前までの平均値を用いて、（平均値  ＊  Ｎ  ＋  焦点距離）／（Ｎ  ＋  １）という計算を行って平均値を求める。
【００３１】
算出した平均値はＲＡＭ５０２上にカメラ部５０９から取得した焦点距離とは別に格納する。この格納された平均値はＳ６０６を実行するたびに更新されていく。Ｓ６０７では、動画像データを取得し、エンコーダ部５１０により符号化する。そして、ＣＰＵ５０１は符号化された各フレームのデータに撮影情報を付加し、メディア制御部５０５を介して記録メディア５０６に記録する。Ｓ６０９では、１フレームの処理を終えたのでＮを増加してＳ６０２へと戻る。Ｓ６１０では、すべての撮影が終わった後、ＲＡＭ５０２上に格納してある被写体距離及び焦点距離の平均値を、動画像データと関連付けられた別のファイルである管理情報ファイルという形で保存する。
【００３２】
なお、本実施形態では、フレーム毎に撮影情報を付加して記録していたが、例えば、ＭＰＥＧ符号化における符号化単位であるＧＯＰ毎に撮影情報を付加して記録する構成でもよい。
【００３３】
本実施形態では、各動画像の撮影時の焦点距離に基づいて再生する順序を決定する。先ほど撮影した動画データの各フレームには撮影情報が付加されている。この場合、第１の実施形態と同様に動画の代表値を取得する必要がある。そこで、本実施形態でも、先頭画面の撮影情報を利用してもよい。また、本実施形態では、撮影中の被写体離と焦点距離の平均値を含む撮影情報を記録している。そのため、この平均の撮影距離と焦点距離を用いて再生順序を変更する様にしてもよい。
【００３４】
図７は記録メディア５０６に記録された動画の様子を示す図である。図７に示す被写体距離と焦点距離は、管理情報ファイルに記録された平均被写体距離及び平均焦点距離である。動画７０１は、被写体から１０ｍ離れた地点から焦点距離を１３０ｍｍに設定して撮影されている。動画７０２は、被写体から１０ｍ離れた地点から焦点距離を９０ｍｍに設定して撮影されている。動画７０３は、被写体から１０ｍ離れた地点から焦点距離を２００ｍｍに設定して撮影されている。動画７０４は、被写体から１０ｍ離れた地点から焦点距離を４５ｍｍに設定して撮影されている。
【００３５】
本実施形態では、焦点距離の大きいものから小さいものへと並べ替えるようなプログラムが予めＲＯＭ５０３に書き込まれている。プログラムにしたがって焦点距離の大きなものから再生順序が決定される。図７では、動画７０３→７０１→７０２→７０４の順序で再生される。変更後の再生順序を示す情報がＲＡＭ５０２に記憶される。
【００３６】
ＲＡＭ５０２上に格納された再生順序に従って、ＣＰＵ５０１はメディア制御部５０５を介して記録メディア５０６から動画像データを再生してＲＡＭ５０２上に格納する。画像復号部５０７はＲＡＭ５０２上に格納された動画データを復号し、表示装置５１１により表示する。
【００３７】
以上の処理により、撮影した画像の再生順序が決定され、表示装置５１１により表示される。図８は以上の処理を行って表示される動画の様子を示したものである。図８に示したように、焦点距離の大きなものから順にシーンの再生順序を変更することによって被写体が徐々に遠ざかっていくという映像効果を得ることができる。
【００３８】
第１の実施形態では被写体距離が徐々に近づいていき、第２の実施形態２では焦点距離が徐々に小さくなっていくプログラムがＲＯＭ上に入っていて、操作部材の操作によってこのプログラムが実行された。実施例３では、ユーザによって再生順序を決定する基準となる情報をユーザが選択できるようにした画像再生装置の実施例である。
【００３９】
本実施形態の撮像装置の構成は図５と同様である。図９は本実施形態における再生処理動作を示したフローチャートである。図９の処理はＣＰＵ１０１が各部を制御することにより実現される。図１０は本実施形態における被写体距離の再生順序の基準入力画面である。図１１は本実施形態における焦点距離の再生順序の基準入力画面である。
【００４０】
ユーザから再生指示があると、まず、Ｓ９０１で被写体距離の基準を入力する。本実施形態では、ユーザが操作部材５０４を操作し、再生基準の入力を指示した場合に、図１０のように、あらかじめＲＯＭ５０３に記憶された再生順序基準を表示装置１０９に表示し、ユーザに提示する。ユーザは操作部材５０４を操作し、被写体距離の再生順序規準を入力する。今回は、被写体距離が徐々に遠くなるような設定を選択している。
【００４１】
この様に予めユーザが設定した被写体距離の基準を入力すると、次に、Ｓ９０２で焦点距離の基準を入力する。本実施形態では、ユーザが操作部材５０４を操作し、再生基準の入力を指示した場合に、図１１のように、あらかじめＲＯＭ５０３に記憶された再生順序基準を表示装置１０９に表示してユーザに提示する。ユーザは操作部材１０４を操作し、焦点距離の再生順序基準を入力する。今回は焦点距離が徐々に小さくなるような設定を選択している。
【００４２】
ここで、被写体距離と焦点距離という二つの基準が存在し、画像によっては順序を決定できないものが出現する可能性がある。例えば今回の基準を用いると、被写体距離が遠くて焦点距離が大きいシーンと、被写体距離が近くて焦点距離が小さいシーンがあった場合である。このため、今回は被写体距離を優先し、被写体距離で再生順序を決定した後、同一の被写体距離にあるものを焦点距離で順序を決定する。
【００４３】
Ｓ９０３では変数Ｎに数値０をセットする。ここで、変数ＮはＲＡＭ５０２に格納された動画像をカウントするためのもので、０以上の整数値を格納することができる。次にＳ９０４ではメディア制御部５０５を介して、記録メディア５０６にアクセスし、Ｎ番目のデータがあると判断されれば、Ｓ９０５ではその動画像データを読み出してＲＡＭ５０２に格納する。Ｓ９０６ではＲＡＭ１０２上に格納された動画像データを画像情報処理解析部へと送り、動画像に関連付けられた撮影情報を取得し、ＲＡＭ５０２へ格納する。
【００４４】
Ｓ９０７においてＲＡＭ５０２に格納した撮影情報と、Ｓ９０１で選択した被写体距離が徐々に遠くなる再生順序基準と、Ｓ９０２で選択した焦点距離が徐々に小さくなる再生順序基準によって再生順序を決定する。Ｓ９０４においてＮ番目のデータが存在しない場合に、Ｓ９０９ではＳ９０７で作成された再生順序に基づいて、メディア制御部１０５を介して記録メディア５０６の動画像データを読み出してＲＡＭ５０２に格納する。画像復号部５０７は再生された動画データを復号し、復号された画像を表示装置５０９で表示する。
【００４５】
図９のフローチャートでは、全画像の処理を行い、画像を表示した後で終了することになっているが、再び最初の画像に戻って再生を繰り返すようにしてもよい。
【００４６】
本実施形態で使用した画像データを模式的に表したのが図１２である。
【００４７】
図１２に記録メディア５０６に記録された動画の例を示す。図１２に示す被写体距離と焦点距離は、管理情報ファイルに記録された平均被写体距離及び平均焦点距離である。動画１２０１の被写体距離は１０ｍで焦点距離は１３０ｍｍである。動画１２０２の被写体距離は１０ｍで焦点距離は９０ｍｍである。動画１２０３の被写体距離は１０ｍで焦点距離は２００ｍｍである。動画１２０４の被写体距離は１０ｍで焦点距離は４５ｍｍである。動画１２０５の被写体距離は５ｍで焦点距離は１３０ｍｍである。動画１２０６の被写体距離は５ｍで焦点距離は９０ｍｍである。動画１２０７の焦点距離は２０ｍで焦点距離は２００ｍｍである。動画１２０８の被写体距離は１ｍで焦点距離は４５ｍｍである。
【００４８】
本実施形態では、被写体距離により再生順序を決定した後、同一被写体距離の動画については、その中で焦点距離により再生順序を決定する。
【００４９】
図１２に示す動画の被写体距離は２０ｍ、１０ｍ、５ｍ、１ｍである。これらの動画を被写体距離が近い順に並べると、動画１２０８→１２０５、１２０６→１２０１、１２０２、１２０３、１２０４→１２０７となる。そのため、被写体距離が同じ動画１２０５、１２０６と、動画１２０１、１２０２、１２０３、１２０４の二つのグループについては、それぞれ、焦点距離に基づいて再生順序を決定する。被写体距離５ｍのグループでは、動画１２０６の方が焦点距離が長いため、動画１２０５よりも再生順序が前になる。被写体距離１０ｍのグループでは、最も焦点距離が長いのが動画１２０３なので、再生順序が最も前になる。次いで、動画１２０１、１２０２、１２０４の順に焦点距離が短くなるので、被写体距離１０ｍのグループ内での順序は動画１２０３→１２０１→１２０２→１２０４になる。こうして決定された再生順序を示す情報をＲＡＭ５０２に格納する。
【００５０】
そして、ＲＡＭ５０２に格納された再生順序に従い、Ｓ９０９においてＣＰＵ５０１はメディア制御部５０５により記録メディア５０６から動画データを再生し、ＲＡＭ５０２に格納する。画像復号部５０７はＲＡＭ１０２に格納された動画データ復号し、表示装置５０９に表示する。
【００５１】
以上の処理により、記録された動画像の再生順序が決定され、表示される。図１３は以上の処理を行って表示される動画像の様子を模式的に示したものである。図１３に示したように、被写体距離の小さなものから順に並べ替えた後、焦点距離の大きなものから順にシーンの再生順序を変更することによって、被写体のアップの映像から全体像が徐々に見えてくるという映像効果を得ることができる。
【００５２】
前述の各実施形態では、動画の再生指示に応じて撮影情報を取得し、再生順序を決定していた。本実施形態では、通常の再生画面においてサムネイル表示を行う際にこの撮影情報を取得することで、効率的な動作を行うことができる。実施例４はサムネイル表示時の撮影時情報取得の実施例である。
【００５３】
図１４は本実施形態におけるサムネイル表示画面を模式的に表した図である。本実施形態では、記録メディア５０６が挿入され、記録された動画像を再生する際に、どの動画像を再生するのかを選択する画面に移る。この際、図１４のような動画像の代表画像としてシーンの先頭画像を表示するサムネイル画面が表示される。
【００５４】
このとき、各動画の先頭画面を再生、復号してサムネイル画像を生成し、表示する。この際、各動画データの撮影情報を記録メディア５０６より読み出し、ＲＡＭ５０２に記憶しておく。これにより、以降の操作で再生順序を変更するに際し、記録メディア５０６に記録された動画像に関連付けられた撮影情報をそれぞれ取得し、順序を変更するという処理がなくなる。
【００５５】
さらに、サムネイル表示されていない画像データについても、撮影情報を記録メディア５０６より先読みしてＲＡＭ５０２に記憶しておく。こうすることで、別途日付情報を用いて、日付別に処理を行う場合にも、ＲＡＭ５０２上の撮影情報を検索するだけで済み、高速に実行することができる。さらに、このとき取得した撮影情報を元に決定した再生順序の情報をＲＡＭ５０２に記憶しておくこともできる。
【００５６】
また、ユーザが操作部材５０４を操作して、図１４に表示した再生順序変更のボタンを選択することにより、撮影情報に基づいて再生順序が変更される。この時、すでに全てのサムネイル画像が表示されていることから、撮影時情報の取得が全て終了しているため、ＲＡＭ５０２に再生順序の情報が記憶されている。図１５に、図１４の各動画の再生順序を撮影情報に従って変更した後の様子を示す。
【００５７】
よって、画面が切り替わる際に、余計な処理は発生せず、ＲＡＭ５０２上のリストに従って、サムネイル画像を表示すればよく、瞬時に再生画面を切り替えることができる。
【００５８】
この様に、各実施形態においては、撮像装置により撮影されて記録された複数の動画データと複数の動画データの撮影時における撮像装置の動作状態に関する撮影情報とを記録媒体から再生する再生手段を備える。また、再生手段により再生された複数の動画データに対応した撮影情報に基づいて、複数の動画データの再生順序を決定する決定手段を備える。また、決定手段により決定された再生順序に従って動画データを再生するように再生手段を制御する制御手段を備える。また、撮影情報は、被写体までの距離を示す被写体距離情報を含み、決定手段は被写体距離の長さの順に再生順序を決定する。また、撮影情報は、焦点距離の情報を含み、決定手段は焦点距離の順に再生順序を決定する。また、基準を設定する手段を備え、決定手段は、設定された基準と撮影情報とに基づいて再生順序を決定する。
【図１】
2013021654.tif 000003
【図２】
2013021654.tif 000004
【図３】
2013021654.tif 000005
【図４】
2013021654.tif 000006
【図５】
2013021654.tif 000007
【図６】
2013021654.tif 000008
【図７】
2013021654.tif 000009
【図８】
2013021654.tif 000010
【図９】
2013021654.tif 000011
【図１０】
2013021654.tif 000012
【図１１】
2013021654.tif 000013
【図１２】
2013021654.tif 000014
【図１３】
2013021654.tif 000015
【図１４】
2013021654.tif 000016
【図１５】
2013021654.tif 000017